(57)【要約】      （修正有）【課題】装飾性に富み、目的面への転写がより容易なシールを提供する。【解決手段】装飾用シールは、裏面にホットメルト系接着剤層を有し、絵柄・文字等の輪郭からなるパターン形状の基材シート２、この基材シート２の表面に箔用粘着剤層５、更に箔用粘着剤層５に金箔を接着した金箔層６が積層し、基材シート２の裏面に台紙、及び金箔層６の表面に転写シートを仮着して成る。台紙と転写シートは前記パターン形状を内包し、同一の大きさの正方形又は長方形で互いに重合して成る。【選択図】図５
0003156405.tif 000002
【実用新案登録請求の範囲】
【請求項１】
裏面にホットメルト系接着剤層を有し、絵柄・文字等の輪郭からなるパターン形状の基材シート、この基材シートの表面に箔用粘着剤層、更に箔用粘着剤層に金箔を接着した金箔層が積層し、基材シートの裏面に台紙、及び金箔層の表面に転写シートを仮着して成り、台紙と転写シートは前記パターン形状を内包し、同一の大きさの正方形又は長方形で互いに重合していることを特徴とする装飾用シール。
【請求項２】
裏面にホットメルト系接着剤層を有し、絵柄・文字等の輪郭からなるパターン形状の基材シート、この基材シートの表面に施した絵柄、文字等からなるパターン印刷層、パターン印刷層の一部に設けた箔用粘着剤層、更に箔用粘着剤層に金箔を接着した金箔層が積層し、基材シートの裏面に台紙、及び金箔層の表面に転写シートを仮着して成り、台紙と転写シートは前記パターン形状を内包し、同一の大きさの正方形又は長方形で互いに重合していることを特徴とする装飾用シール。
【請求項３】
金箔層に代え銀箔、銅箔またはアルミニウム箔、或いはこれらの合金箔の層としたことを特徴とする請求項１又は２記載の装飾用シート。
【考案の詳細な説明】
【技術分野】
【０００１】
本考案は、図柄、文字、記号等の一定のパターンの模様の上面に金箔、銀箔、銅箔、又はアルミ箔等を適宜に貼着し任意の対象に転写できる装飾用シ−ルに関するものである。
【背景技術】
【０００２】
装飾用のシールとして、例えば特開平６−１７９２９９号公報に記載のものが知られている。
上記公報に記載のシ−ルの製造方法は、剥離剤をコ−ティングした支持フィルム上に金属箔を形成し、さらに箔表面に熱融着性の接着剤を塗布した箔押し素材を使用するとともに、剥離性を有する離型シ−トの上に、所定のパタ−ン形状である接着剤層を印刷して乾燥し、次に熱圧着機によって箔押し素材を押し付けてパタ−ン形状の部分だけ金属箔層を接着剤層上に転移させ、最後に透明又は半透明である剥離可能な保護フィルムを設けるというものである。
【０００３】
また、特開２０００−３０１８９３号公報では、下から順に剥離シ−ト、粘着層、カッティングプロッタ−によって所定デザインにカッティングされたベースフィルム、接着剤印刷部、金箔、粘着層及びカッティングプロッタ−によって前記ベースフィルムと同一デザインにカッティングされたトップフィルムを積層して成る金箔を用いた装飾用シ−ルが開示されている。
【先行技術文献】
【特許文献】
【０００４】
【特許文献１】特開平６−１７９２９９号公報
【特許文献２】特開２０００−３０１８９３号公報
【考案の概要】
【考案が解決しようとする課題】
【０００５】
そこで、本考案は装飾性に富み、目的面への転写がより容易なシールを提供せんとするものである。
【課題を解決するための手段】
【０００６】
本考案に係る請求項１の装飾用シールは、裏面にホットメルト系接着剤層を有し、絵柄・文字等の輪郭からなるパターン形状の基材シート、この基材シートの表面に箔用粘着剤層、更に箔用粘着剤層に金箔を接着した金箔層が積層し、基材シートの裏面に台紙、及び金箔層の表面に転写シートを仮着して成り、台紙と転写シートは前記パターン形状を内包し、同一の大きさの正方形又は長方形で互いに重合していることを特徴とするものである。
【０００７】
本考案の請求項２の装飾用シールは、裏面にホットメルト系接着剤層を有し、絵柄・文字等の輪郭からなるパターン形状の基材シート、この基材シートの表面に施した絵柄、文字等からなるパターン印刷層、パターン印刷層の一部に設けた箔用粘着剤層、更に箔用粘着剤層に金箔を接着した金箔層が積層し、基材シートの裏面に台紙、及び金箔層の表面に転写シートを仮着して成り、台紙と転写シートは前記パターン形状を内包し、同一の大きさの正方形又は長方形で互いに重合していることを特徴とするものである。
【０００８】
請求項３の装飾用シールの考案は、請求項１または２において、金箔層に代え銀箔、銅箔またはアルミニウム箔、或いはこれらの合金箔の層としたことを特徴とするものである。
【考案の効果】
【０００９】
本考案は、基材シートの上面に設けた絵柄、文字等からなるパターン形状の箔用粘着剤層に金箔を接着して金箔層を形成するものであるから、金箔の貼付が容易かつ美麗となる効果を有する。
【００１０】
また、金箔を加飾した模様を目的面へ転写する手段も転写シートを利用するものと同様の手順となるから、一般人にも容易に行えると共に、家庭用のアイロン等の熱プレスを利用し、より強固で安定した転写となる効果を発揮する。
【００１１】
転写シートが正方形又は長方形の形状で模様パターンを内包するものとしてあるため、パターンの輪郭に関係なく垂直及び水平位置を転写シートで確認して目的面に配置できる効果を有するものである。
【００１２】
請求項２の考案は、印刷よるパターン模様の着色に加え、金色の部分が金箔によって施されるため、金箔が一層輝いて看取されてあの着色部分も際立ち相乗効果を発揮する加飾となるものである。
【図面の簡単な説明】
【００１３】
【図１】本考案の装飾用シールの製造時の一工程を示す斜視図である。
【図２】本考案の装飾用シールの製造時の一工程を示す斜視図である。
【図３】本考案の装飾用シールの製造時の一工程を示す断面図である。
【図４】本考案の装飾用シールの製造時の一工程を示す斜視図である。
【図５】本考案の装飾用シールの模様層を生地等に転写し定着した状態の断面図である。
【図６】本考案の装飾用シールの製造時の一工程を示す断面図である。
【考案を実施するための形態】
【００１４】
本考案に係る装飾用シールは、裏面にホットメルト系接着剤層を有し、絵柄・文字等の輪郭からなるパターン形状の基材シート２、この基材シート２の表面に箔用粘着剤層５、更に箔用粘着剤層５に金箔を接着した金箔層６が積層し、基材シート２の裏面に台紙３、及び金箔層６の表面に転写シート９を仮着して成り、台紙３と転写シート９は前記パターン形状を内包し、同一の大きさの正方形又は長方形で互いに重合して成るものである。
【００１５】
そして、本考案に係る装飾用シールの使用方法は、台紙３を剥がせば、裏面にホットメルト系接着剤層、絵柄・文字等の輪郭からなるパターン形状の基材シート２、表面の箔用粘着剤層５、及び金箔層６から成るパターン模様層８が転写シート９に付着した状態となる。
【００１６】
そこで、適当な平面台等に載置し転写する生地等１１の目的面に、生地等１１とパターン模様層８の位置関係を転写シート９の正方形又は長方形の形状で確認しながらパターン模様層８のレイアウトを行い、転写シート９の非パターン模様層の部分の粘着剤層１０を利用して目的位置に仮着する。
【００１７】
そして、転写シート９の上から家庭用アイロン等で加熱加圧し、ホットメルト系接着剤層を溶融してパターン模様層８を生地等１１に転写する。
転写シート９を暖かい状態で剥がし、必要であれば、前記台紙３等を生地等１１に転写したパターン模様層８の上に置き再加熱加圧を行って定着する（図５）。
【００１８】
また、図６は請求項２の一実施の形態を示すもので、基材シート２の表面に施した絵柄、文字等からなるパターン印刷層４、パターン印刷層４の一部に設けた箔用粘着剤層５、更に箔用粘着剤層５に金箔を接着した金箔層６が積層した構成を示すものである。
【００１９】
次に、本考案の装飾用シールの製造方法の一例を説明する。
先ず、スリットラインを含めてデザインデータをパソコン上で製作する。
そして、前記パソコンと印刷機を連係し、転写用ラバーシート材（三登商事株式会社製：商品記号「ＳＰ・ＪＷ」）の表面にスリット加工用のトンボ１をプリントする。
ラバーシート材は基材シート２の裏面にホットメルト系接着剤層を有し、台紙３が仮着されている。
【００２０】
続いて、シルクスクリーン印刷で前記の製作したデザインである図柄、文字、記号等の一定のパターンの模様を箔用粘着剤（株式会社ミノグループ製：商標名「エポン２」）を使用して施し、箔用粘着剤層５を形成する（図１）。
【００２１】
さらに、印刷した箔用粘着剤層５の上に金箔を箔押しして貼り付けて金箔層６を形成する。
また、金箔層６は基材シート２の表面に、シルク印刷等で絵柄、文字等からなる多色の模様のパターン印刷層４を施し、このパターン印刷模様の層４の一部に設けた箔用粘着剤層５を印刷してもよい（図６）。
【００２２】
そこで、カッティングマシンでトンボ１、１間を繋いだ外周線７１と共に、パターンの模様（パターン印刷層４や箔用粘着剤層５或いは金箔層６）の輪郭部線（及び必要な透かし部線）７２に沿ってスリット加工を行う（図２及び図３）。
【００２３】
そして、貼付された金箔部分を除いて、外周線７１内の輪郭部線（及び必要な透かし部線）７２のスリットを利用して不要なラバーシートの基材部分を取り除くと、基材シート２と箔用粘着剤層５及び金箔層６が積層したパターン模様層８のみが台紙３上に残る（図４）。
【００２４】
金箔層６の上面に転写シート９を被設して転写シート９の粘着剤層で仮着する。
この時、基材シート２の不要部分を取り除いて現れた台紙３の上面及びラバーシート材の外周腺７１の外側の残った基材シート２の上面とも重合仮着することとなる。
【００２５】
最後に、トンボ１、１間の外周線７１に沿って転写シート９を重合する台紙３ごと正方形又は長方形の四角形にカットして外周枠状部を除去して目的の装飾用シールを得るのである。
【００２６】
基材シート２や転写シート９は市販されている公知のシート材を適宜利用可能であり、金箔に代え銀箔、銅箔またはアルミニウム箔、或いはこれらの合金箔を用いることも自由に出来るものである。
【符号の説明】
【００２７】
１    トンボ
２    基材シート
３    台紙
４    パターン印刷層
５    箔用粘着剤層
６    金箔層
７１  スリット加工の外周腺
７２  スリット加工の輪郭部線
８    パターン模様層
９    転写シート
【図１】
0003156405.tif 000003
【図２】
0003156405.tif 000004
【図３】
0003156405.tif 000005
【図４】
0003156405.tif 000006
【図５】
0003156405.tif 000007
【図６】
0003156405.tif 000008